(57)【要約】      （修正有）【課題】光ディスクのデータ保存容量の増大やデータ読み取り速度の高速化、更にはＣＤやＤＶＤプレーヤー機種の多様化に対応可能な光ディスクカバーを提供する。また、生産性が高くより安価な光ディスクカバーを提供する。【解決手段】光ディスクのデータ読み取り面を覆うように、透明な未延伸樹脂からなるフィルム２で形成された三酢酸セルロースを主成分とした薄い光ディスクカバー１を、その片面の外周端部近傍に再剥離性粘着剤で光ディスクのデータ読み取り面に粘着する。【選択図】図１
2011060376.tif 000002
【特許請求の範囲】
【請求項１】
光ディスクのデータ読み取り面を覆う、透明な未延伸樹脂からなるフィルムで形成されたことを特徴とする光ディスクカバー。
【請求項２】
前記フィルムの材質が三酢酸セルロースを主成分とすることを特徴とする請求項１に記載の光ディスクカバー。
【請求項３】
前記フィルムの厚みが１０〜６０μｍであることを特徴とする請求項１または２に記載の光ディスクカバー。
【請求項４】
前記フィルムは、外形が円形状でその直径が光ディスクの外径より小さく、前記フィルムの片面側の全外周の端部近傍に沿って再剥離性粘着剤が一定の幅で塗布された粘着部を備えたことを特徴とする請求項１乃至３に記載の光ディスクカバー。
【請求項５】
前記光ディスクは、円盤状で、中央に開口部を画定するディスク内周端が形成されたディスク開口部を有し、前記データ読み取り面が前記光ディスクの片面側に形成され、前記データ読み取り面に、外周に沿った一定の巾の外周データ非保存領域と内周に沿った一定の巾の内周データ非保存領域と、前記外周データ非保存領域と前記内周データ非保存領域との間にデータ保存領域を備え、前記フィルムは、前記ディスク開口部の直径より大きく且つ前記データ保存領域の内径より小さい直径の開口を画定するフィルム内周端が形成されたカバー開口部を備えたことを特徴とする請求項１乃至４のいずれか１項に記載の光ディスクカバー。
【請求項６】
前記粘着部は、その外径が、前記フィルムの外径より小さいことを特徴とする請求項４又は５に記載の光ディスクカバー。
【請求項７】
前記粘着部は、前記光ディスクの前記外周データ非保存領域に対応する部分に形成されていることを特徴とする請求項４乃至６に記載の光ディスクカバー。
【請求項８】
前記フィルムは、前記内周端の一部から前記フィルムの外周端に向かって短いスリットが形成されていることを特徴とする請求項５乃至７のいずれか１項に記載の光ディスクカバー。
【請求項９】
前記フィルムの前記粘着部が形成された面が再剥離性紙に粘着され、且つ前記フィルムの前記粘着部が形成された面の反対面の外周端近傍に、一端に再剥離可能な粘着剤が塗布されたシート状のタブが粘着され、前記タブの他端が前記フィルムの前記外周端の外側に突出して形成され、且つ前記フィルムの前記粘着部が形成された面の反対面に前記タブの上から、前記フィルムと同一形状で再剥離性の表カバーフィルムが前記フィルムと同心円上に粘着されていることを特徴とする請求項７または８に記載の光ディスクカバー。
【請求項１０】
前記フィルムの前記粘着部が形成された面の反対面と前記表カバーフィルムとの粘着力は、前記フィルムと前記光ディスクのデータ読み取り面との粘着力より小さく、前記フィルムの前記粘着部が形成された面の反対面と前記タブとの粘着力は、前記光ディスクカバーと前記光ディスクのデータ読み取り面との粘着力より小さく、前記光ディスクカバーと前記再剥離性紙との粘着力は、前記フィルムの前記粘着部が形成された面の反対面と前記タブとの粘着力より小さい、ことを特徴とする請求項９に記載の光ディスクカバー。
【請求項１１】
請求項５乃至１０に記載の光ディスクカバーを、光ディスクに装着するための治具であって、その中央部に、前記光ディスクの前記ディスク開口部とほぼ同一直径の柱状突起部が形成された、前記光ディスクを安定的に載置可能な載置部を備えた台座と、前記柱状突起部の外径とほぼ同一内径で且つ前記カバー開口部の直径とほぼ同一外径の筒状部を有する取外し可能なキャップと、を備えていることを特徴とする光ディスクカバー装着治具。
【請求項１２】
請求項１１に記載の光ディスクカバー装着治具を用いて、請求項９または１０に記載の光ディスクカバーを、光ディスクに装着する際に、請求項１１に記載の光ディスクカバー装着治具を平板上に置く工程と、キャップ３３を取り外す工程と、前記光ディスクのデータ読み取り面を上にして中央の前記ディスク開口部を前記光ディスクカバー装着治具中央の突起部に挿入し前記載置部に当接させる工程と、前記キャップを前記突起部に挿入し前記光ディスクのデータ面に当接させる工程と、請求項９または１０に記載の光ディスクカバーを粘着部の形成された面を下方に向けて前記キャップに挿入し前記光ディスク面に当接させる工程と、前記粘着部を光ディスクに押圧し粘着させる工程と、前記タブを引き上げて前記フィルムと前記タブ及び前記表カバーフィルムを再剥離させる工程と、を含むことを特徴とする光ディスクカバー装着方法。
【請求項１３】
上面及び下面を有する環状の外周壁と、前記外周壁下部の内側から前記環状の外周壁の中心に向かって延在し環状内周端が画定された底壁と、前記外周壁上部の内側から前記外周壁の中心に向かう複数の平板状の突起部と、を備えた環状枠体の内側全体を覆うように、前記フィルムが、前記外周壁下面及び又は前記底壁の下面に接着されていることを特徴とする請求項１乃至３のいずれか１項に記載の光ディスクカバー。
【請求項１４】
前記光ディスクは、円盤状で、中央に開口部であるディスク開口部を有し、前記データ読み取り面が前記光ディスクの片面側に形成され、前記データ読み取り面に、外周に沿った一定の巾の外周データ非保存領域と内周に沿った一定の巾の内周データ非保存領域と、前記外周データ非保存領域と前記内周データ非保存領域との間にデータ保存領域を備え、前記フィルムは、前記ディスク開口部の直径より大きく且つ前記データ保存領域の内径より小さい直径の開口を画定するフィルム内周端が形成されたカバー開口部を備えたことを特徴とする請求項１３に記載の光ディスクカバー。
【請求項１５】
前記光ディスクカバーが前記光ディスクに装着された状態において、前記底壁の前記環状内周端は、前記光ディスクの外周データ非保存領域に対応する部分に形成されたことを特徴とする請求項１３又は１４に記載の光ディスクカバー。
【請求項１６】
前記突起部の長さが、０．２ｍｍ以上２ｍｍ以下であることを特徴とする請求項１３乃至１５のいずれか１項に記載の光ディスクカバー。
【請求項１７】
前記外周壁上部及び下部の外側が角のないアール状に形成された、夫々上部アール部及び下部アール部を有することを特徴とする請求項１３乃至１６のいずれか１項に記載の光ディスクカバー。
【請求項１８】
前記フィルムは、前記外周壁下面の前記下部アール部の端部を画定する底壁アール内周端よりも、前記外周壁の中心側に接着されていることを特徴とする請求項１７に記載の光ディスクカバー。
【発明の詳細な説明】
【技術分野】
【０００１】
本発明は、コンパクトディスク（以下ＣＤと略記）やディジタルビデオディスク（以下ＤＶＤと略記）等の光ディスクのデータ読み取り面を保護する光ディスクカバーに関する。
【背景技術】
【０００２】
ＣＤやＤＶＤ等の光ディスクは、内側のデータ記録層を保護するために、データ読み取り面にアクリル樹脂やポリカーボネート樹脂等の透明な樹脂を保護層として形成されている。しかし、長期間の使用や、悪環境での使用により、情報読み取り側の上記保護層の表面に傷が付き、その傷の深さや大きさにより情報の読み取りができなくなることがある。そこで、光ディスクのデータ読み取り面を保護するため、特許文献１には「透明な樹脂からなる光ディスク表面保護シート」が提案されており、該文献の段落[００１２]には、フィルムの材質として「透明シート１４は、酢酸セルロース系、ポリカーボネート系、ポリ乳酸系、ポリスチレン（ＰＳ）系、ポリエチレンテレフタレート（ＰＥＴ）系、ポリプロピレン（ＰＰ）系、ＰＶＣ系、またはセロファン系等の透明な樹脂フィルムまたは樹脂シートである。また、透明シート１４は読み取り用のレーザ光を良く透過するものであって、屈折率が光ディスク１２の透明基板と近いものが好ましい。透明シート１４の厚さは、薄い方が好ましいが、強度や貼り付け性能等から１００μｍ程度でも良い。このフィルムは、読み取り用のレーザ光を良く透過する透明シートであって、屈折率が光ディスクの透明基板と近いものが好ましく、また透明シートの厚さは、薄い方が好ましいが、強度や貼り付け性能等から１００μｍ程度でも良い。」と記載されている。
【０００３】
特許文献２には、光ディスクのデータ読み取り面を保護するための保護カバーについて記載され、「前記シールドは前記光ディスクの前記読み取り面を受け取り、かつ、カバーするために前記環状ベースによって支持される、シールドと、を含むことを特徴とする保護カバー」が提案されている。
【先行技術文献】
【特許文献】
【０００４】
【特許文献１】特開２００２−８２６８号公報
【特許文献２】特表２００６−５０１５９９号公報
【発明の概要】
【発明が解決しようとする課題】
【０００５】
しかし、近年、ＣＤやＤＶＤ等の光ディスクは、データ保存容量及び保存密度の増大とデータ読み取り速度の高速化が進み、上記文献に記載の材料や、シート又はシールドの厚みが１００μｍ程度ではデータを読み取れず、また文献１に記載のポリエチレンテレフタレート、ポリプロピレン、ポリスチレン、ＰＶＣ等の一般的な透明なシートやフィルムでは、上記樹脂製シールドやシートが装着された光ディスクのディスクプレーヤーでの再生時に、樹脂内部に存在する結晶の状態によって発生する光の散乱や複屈折による音室や画像の乱れを抑制できないという問題が表面化してきた。
更に光ディスクを再生するためのメディアプレーヤーが多様化し、上記文献に開示された保護シートを貼り付けた光ディスクを受け付けない機器が発生している。更に国際的な価格低下傾向を受けて、生産性の向上によるコストの低減は必須の状況となってきている。
【０００６】
本発明の目的は、光ディスクのデータ保存容量及び保存密度の増大やデータ読み取り速度の高速化、更にはメディアプレーヤー機種の多様化に対応可能な光ディスクカバーを提供することにある。また、生産性が高くより安価な光ディスクカバーを提供することにある。
【課題を解決するための手段】
【０００７】
本発明者等は、上記課題について鋭意検討を行った結果、下記の構成をとることによって、本発明を達成するに至った。即ち本発明は下記のとおりである。  
（１）光ディスクのデータ読み取り面を覆う、透明な未延伸樹脂からなるフィルムで形成されたことを特徴とする光ディスクカバー。
（２）前記フィルムの材質が三酢酸セルロースを主成分とすることを特徴とする上記（１）に記載の光ディスクカバー。
（３）前記フィルムの厚みが１０〜６０μｍであることを特徴とする上記（１）または（２）に記載の光ディスクカバー。
（４）前記フィルムは、外形が円形状でその直径が光ディスクの外径より小さく、前記フィルムの片面側の全外周の端部近傍に沿って再剥離性粘着剤が一定の幅で塗布された粘着部を備えたことを特徴とする上記（１）乃至（３）に記載の光ディスクカバー。
（５）前記光ディスクは、円盤状で、中央に開口部を画定するディスク内周端が形成されたディスク開口部を有し、前記データ読み取り面が前記光ディスクの片面側に形成され、前記データ読み取り面に、外周に沿った一定の巾の外周データ非保存領域と内周に沿った一定の巾の内周データ非保存領域と、前記外周データ非保存領域と前記内周データ非保存領域との間にデータ保存領域を備え、前記フィルムは、前記ディスク開口部の直径より大きく且つ前記データ保存領域の内径より小さい直径の開口を画定するフィルム内周端が形成されたカバー開口部を備えたことを特徴とする上記（１）乃至（４）のいずれか１項に記載の光ディスクカバー。
（６）前記粘着部は、その外径が、前記フィルムの外径より小さいことを特徴とする上記（４）又は（５）に記載の光ディスクカバー。
（７）前記粘着部は、前記光ディスクの前記外周データ非保存領域に対応する部分に形成されていることを特徴とする上記（４）乃至（６）に記載の光ディスクカバー。
（８）前記フィルムは、前記内周端の一部から前記フィルムの外周端に向かって短いスリットが形成されていることを特徴とする上記（５）乃至（７）のいずれか１項に記載の光ディスクカバー。
（９）
前記フィルムの前記粘着部が形成された面が再剥離性紙に粘着され、且つ前記フィルムの前記粘着部が形成された面の反対面の外周端近傍に、一端に再剥離可能な粘着剤が塗布されたシート状のタブが粘着され、前記タブの他端が前記フィルムの前記外周端の外側に突出して形成され、且つ前記フィルムの前記粘着部が形成された面の反対面に前記タブの上から、前記フィルムと同一形状で再剥離性の表カバーフィルムが前記フィルムと同心円上に粘着されていることを特徴とする上記（７）または（８）に記載の光ディスクカバー。
（１０）前記フィルムの前記粘着部が形成された面の反対面と前記表カバーフィルムとの粘着力は、前記フィルムと前記光ディスクのデータ読み取り面との粘着力より小さく、前記フィルムの前記粘着部が形成された面の反対面と前記タブとの粘着力は、前記光ディスクカバーと前記光ディスクのデータ読み取り面との粘着力より小さく、前記光ディスクカバーと前記再剥離性紙との粘着力は、前記フィルムの前記粘着部が形成された面の反対面と前記タブとの粘着力より小さい、ことを特徴とする上記（９）に記載の光ディスクカバー。
（１１）上記（５）乃至（１０）に記載の光ディスクカバーを、光ディスクに装着するための治具であって、その中央部に、前記光ディスクの前記ディスク開口部とほぼ同一直径の柱状突起部が形成された、前記光ディスクを安定的に載置可能な載置部を備えた台座と、前記柱状突起部の外径とほぼ同一内径で且つ前記カバー開口部の直径とほぼ同一外径の筒状部を有する取外し可能なキャップと、を備えていることを特徴とする光ディスクカバー装着治具。
（１２）上記（１１）に記載の光ディスクカバー装着治具を用いて、上記（９）または（１０）に記載の光ディスクカバーを、光ディスクに装着する際に、請求項１１に記載の光ディスクカバー装着治具を平板上に置く工程と、キャップ３３を取り外す工程と、前記光ディスクのデータ読み取り面を上にして中央の前記ディスク開口部を、前記光ディスクカバー装着治具中央の突起部に挿入し前記載置部に当接させる工程と、前記キャップを前記突起部に挿入し前記光ディスクのデータ面に当接させる工程と、請求項９または１０に記載の光ディスクカバーを粘着部の形成された面を下方に向けて前記キャップに挿入し前記光ディスク面に当接させる工程と、前記粘着部を光ディスクに押圧し粘着させる工程と、前記タブを引き上げて前記フィルムと前記タブ及び前記表カバーフィルムを再剥離させる工程と、を含むことを特徴とする光ディスクカバー装着方法。
（１３）上面及び下面を有する環状の外周壁と、前記外周壁下部の内側から前記環状の外周壁の中心に向かって延在し環状内周端が画定された底壁と、前記外周壁上部の内側から前記外周壁の中心に向かう複数の平板状の突起部と、を備えた環状枠体の内側全体を覆うように、前記フィルムが、前記外周壁下面及び又は前記底壁の下面に接着されていることを特徴とする上記（１）乃至（３）のいずれか１項に記載の光ディスクカバー。
（１４）前記光ディスクは、円盤状で、中央に開口部であるディスク開口部を有し、前記データ読み取り面が前記光ディスクの片面側に形成され、前記データ読み取り面に、外周に沿った一定の巾の外周データ非保存領域と内周に沿った一定の巾の内周データ非保存領域と、前記外周データ非保存領域と前記内周データ非保存領域との間にデータ保存領域を備え、前記フィルムは、前記ディスク開口部の直径より大きく且つ前記データ保存領域の内径より小さい直径の開口を画定するフィルム内周端が形成されたカバー開口部を備えたことを特徴とする上記（１３）に記載の光ディスクカバー。
（１５）前記光ディスクカバーが前記光ディスクに装着された状態において、前記底壁の前記環状内周端は、前記光ディスクの外周データ非保存領域に対応する部分に形成されたことを特徴とする上記（１３）又は（１４）に記載の光ディスクカバー。
（１６）前記突起部の長さが、０．２ｍｍ以上２ｍｍ以下であることを特徴とする上記（１３）乃至（１５）のいずれか１項に記載の光ディスクカバー。
（１７）前記外周壁上部及び下部の外側が角のないアール状に形成された、夫々上部アール部及び下部アール部を有することを特徴とする上記（１３）乃至（１６）のいずれか１項に記載の光ディスクカバー。
（１８）前記フィルムは、前記外周壁下面の前記下部アール部の端部を画定する底壁アール内周端よりも、前記外周壁の中心側に接着されていることを特徴とする上記（１７）に記載の光ディスクカバー。
【発明の効果】
【０００８】
本発明（１）によれば、未延伸樹脂からなるフィルムで形成したことによって、４．５ＧＢ以上の保存容量が大きくまた４倍速や８倍速あるいはそれ以上の高速読み取り方式の光ディスクにも適用可能であって、且つ本発明の光ディスクカバーを装着した光ディスクは、音楽、動画、ゲーム機などの多様なメディアプレーヤーにも支障なく使用可能である。
【０００９】
本発明（２）によれば、透明なフィルムとして使用する未延伸の三酢酸セルロースは光透過率が高くまた複屈折が少ないので、本発明の光ディスクカバーを装着した光ディスクはデータの読み取り精度が高い。
【００１０】
本発明（３）によれば、透明なフィルムの厚みを１０〜６０μｍにしたことによって、本発明の光ディスク保護カバーを装着した光ディスクのデータの読み取り精度が向上し、且つ本発明の光ディスクカバーの取り扱い性が保持される。
【００１１】
本発明（４）によれば、フィルムが光ディスクの外径より小さいために、本発明（４）の光ディスクカバーが装着された光ディスクを、ディスク挿入型のディスクプレーヤーに挿入した後取り出す際に、光ディスクの端部が先にディスクプレーヤーの挿入口の刷毛や蓋部材に触れてそれらを押し退けた後にフィルムの端部が続いて出てくるので、フィルムの端部が取り出しの際の抵抗になりにくく光ディスクを円滑に取り出すことができる。また前記フィルムの外周端近傍に再剥離性粘着剤が塗布されていることによって光ディスクのデータ読み取り面に粘着剤が粘着せず、データの読み取りに支障をきたさない。更に、粘着剤が再剥離性であることによって、本ディスクカバーを、交換するために該光ディスクから剥がした際に、該光ディスクに粘着剤が残らないので、繰り返して該光ディスクに本光ディスクカバーを装着することができる。
【００１２】
本発明（５）によれば、本光ディスクカバーを装着した光ディスクをプレーヤーから取り出す際、フィルム２の内周端がディスクプレーヤー内部のディスク固定治具に引っ掛かることがなく容易に取り出すことができる。
【００１３】
本発明（６）によれば、粘着部の外径がフィルム外径より小さいことによって、このフィルムを光ディスクに押圧して粘着剤を粘着させる際、粘着剤がフィルムの外側にはみ出さない。これによって、本光ディスクカバーを装着した光ディスクは、外周端部近傍でのべたつきがないので取り扱い性がよい。
【００１４】
本発明（７）によれば、本光ディスクカバーが装着された光ディスクは、粘着剤が光の透過の障害にならず、光ディスクのデータの読み取り精度に対する粘着剤の影響がない。
【００１５】
前記カバー開口部の外径は光ディスクの開口部の外径より大きく形成されているため、
光ディスクに装着された場合、フィルム内周端側に手がかかりにくく本光ディスクカバーを素手では剥がし難い。本発明（８）によれば、一旦光ディスクに装着した本発明の光ディスクカバーを取り外す際、スリット部分を爪の先に引っ掛けた後指先で摘み引っ張るとか粘着テープの一旦をスリット部に貼付し他端を指で摘んで引っ張ることによって、光ディスクカバーをスリット部を起点として光ディスクから容易に剥がすことができる。
【００１６】
本発明（９）によれば、本光ディスクカバーの粘着部が再剥離性紙に粘着されたことによって粘着部が他の物に粘着して不都合が生じるということはなく、本発明の光ディスクカバーは携行し易くなりまた製品として市場に投入された場合その物流工程における取扱い性が向上し、且つカバーフィルム外周端の外側に突出するタブが備えられたことによって、再剥離性紙から本光ディスクカバーを引き剥がす際に、更には本発明（９）の光ディスクカバーを光ディスクに装着した後光ディスクから本光ディスクカバーを引き剥がす際に、タブを摘むことによって、引き剥がし操作を容易に行うことができる。また、表カバーフィルムを設けることによって、本光ディスクカバーを光ディスクに装着する際に、フィルムに皺が生じることがないようフィルム自体の柔らかさを補強し光ディスクのデ−タ読み取り面全体に均一に押圧して貼りつけることができ、且つ光ディスクに装着する前の発明（７）及び（８）の光ディスクカバーにゴミが付着したりまた傷がついたりすることを防止できるという効果を有する。
【００１７】
本発明（１０）によれば、本発明（９）の光ディスクカバーの外周端の外側に突出するタブを摘んで引き上げることで再剥離性紙から本光ディスクカバーを容易に引き剥がすことができ、また本光ディスクカバーを光ディスクに装着した後、タブを摘んで引き上げることでタブ自体及び表カバーフィルムを本光ディスクカバーから容易に引き剥がすことができる。
【００１８】
本発明（１１）の治具によれば、柱状突起部と筒状部を有するキャップとの協働によっ
て、中央部に直径の異なる開口部を有する光ディスクと本発明の光ディスクカバーを同心円状に重ね合わせることができ、それによって本発明の光ディスクカバーを光ディスクからはみ出さない、適正な装着が可能となる。
【００１９】
本発明（１２）によれば、上記（９）または（１０）の光ディスクカバーを、本発明
（１２）の方法を使用することによって、容易に且つ確実に光ディスクに装着することができる。
【００２０】
本発明（１３）によれば、本発明（１）〜（３）に記載のフィルムを環状枠体の底壁の上面ではなく、下面に接着することによって本発明の光ディスクカバーを製造できるので、安価に製造することが可能となる。上記底壁の上面にフィルムを接着する場合は製造工程が煩雑となるため安価な製造は困難である。
【００２１】
本発明（１４）によれば、本光ディスクカバーを装着した光ディスクをプレーヤーから取り出す際、フィルム２のフィルム内周端がディスクプレーヤー内部のディスク固定治具に引っ掛かることがなく円滑に取り出すことができる。
【００２２】
本発明（１５）によれば、環状枠体の底壁が光ディスクのデータ保存領域を覆うことがないので、光ディスクのデータ保存領域を底壁によって遮蔽することがないので保存された全てのデータを読みとることが可能である。
【００２３】
本発明（１６）によれば、環状枠体の突起部の長さを限定することによって、光ディスクに本光ディスクカバーを容易に装着可能となる。
【００２４】
本発明（１７）によれば、本光ディスクカバーを装着した光ディスクをプレーヤーから取り出す際、環状外周壁の上面及び下面の角がアール状に形成されているため、本発明（１７）の光ディスクカバーが装着された光ディスクを、ディスク挿入型のディスクプレーヤーに挿入した後取り出す際に、環状外周壁のディスクプレーヤーのディスク挿入口の刷毛や蓋部材との摺動抵抗が小さいため、光ディスクを円滑に取り出すことができる。
【００２５】
本発明（１８）によれば、本光ディスクカバーを装着した光ディスクをディスク挿入型のディスクプレーヤーに挿入した後取り出す際に、本発明（１８）の光ディスクカバー１の環状外周壁が先にディスクプレーヤーの挿入口の刷毛や蓋部材に触れてそれらを押し退けた後にフィルムの端部が続いて出るので、フィルムの端部にかかる力が減殺されて光ディスクを円滑に取り出すことができ、またディスクプレーヤーへの挿入及び取り出しを繰り返すことによるフィルムの剥がれをも解消できる。
【図面の簡単な説明】
【００２６】
【図１】本発明（８）の光ディスクカバーの平面模式図を示す。
【図２】図１のＡ−Ａ矢視図を示す。
【図３】本発明（８）の光ディスクカバーの裏面図を示す。
【図４】本発明（８）の光ディスクカバーを光ディスクに装着した状態の平面模式図を示す。
【図５】図４のＢ−Ｂ矢視図を示す。
【図６】本発明（９）の光ディスクカバーの外周端部近傍の断面模式図を示す。
【図７】本発明（１１）の光ディスクカバー装着治具のキャップを装着した状態の平面模式図を示す。
【図８ａ】図７のＣ−Ｃ矢視図を示す。
【図８ｂ】筒状キャップの斜視図を示す。
【図９】本発明（１１）の光ディスクカバー装着治具の筒状キャップを外した状態の平面模式図を示す。
【図１０】図９のＨ−Ｈ矢視図を示す。
【図１１】本発明（１３）の光ディスクカバーの平面模式図を示す。
【図１２】本発明（１３）の光ディスクカバーの裏面模式図を示す。
【図１３】図１１のＩ−Ｉ矢視図を示す。
【図１４】図１１のＧ−Ｇ矢視図を示す。
【図１５】図１１のＥ−Ｅ矢視図を示す。
【図１６】図１１のＬ部拡大図を示す。
【図１７】図１１のＭ部拡大図を示す。
【図１８】図１１のＦ−Ｆ矢視図を示す。
【発明を実施するための形態】
【００２７】
本発明の光ディスクカバーの１実施形態について、図１〜図１８を参照して、以下に説明するが、本発明はこの事例に限られるものではない。
【００２８】
図１に示すように、本光ディスクカバー１は、透明な未延伸樹脂からなるフィルム２で形成される。本光ディスクカバー１は光ディスク（ＣＤやＤＶＤ等）のデータ読み取り面を覆うように装着され、その状態でディスクプレーヤーに挿入されるため、フィルムは光透過性が良好であることが必要である。特にこれらのディスクプレーヤーは波長４００ｎｍ〜６５０ｎｍのレーザー光によって上記フィルム経由で光ディスクに保存されたデータを読み取るため、それらの波長の透過性が良好であることが要求される。従ってフィルムの材質としては、酢酸セルロース系樹脂が良好であり、特に未延伸の三酢酸セルロースが好ましい。一般に樹脂フィルムは生産効率を高めるため樹脂を延伸して製造されるが、延伸工程において樹脂を構成する高分子量の分子が配向し、場合によっては結晶化し、それらの配向した分子や結晶によって光の屈折や複屈折が起こり、光ディスクカバーにおいては、データ読み取り精度の低下（画像の再現性不良等）が起こる。しかし、本光ディスクカバー１を構成するフィルム２は、未延伸であることによってフィルム内に分子の配向や結晶化が発生しにくいので良好なデータ読み取り精度が得られる。
【００２９】
また、未延伸フィルムとしては、キャスティング法で作られたフィルムが複屈折が少なく好ましい。
【００３０】
本光ディスクカバー１に使用されるフィルム２の厚みは１０〜６０μｍである。フィルム２は光透過性を向上させるため厚みは薄い方がよい。しかし１０μｍより薄いと機械的強度が不足となり、光ディスク２０のデータ面を保護する機能が低下し、また本光ディスクカバー１を光ディスク２０に装着する際に、フィルム２が柔らか過ぎるため、装着されたフィルム２に皺が発生し、データ読み取り精度が低下する。
【００３１】
フィルム２は円形状であってその外周端近傍に再剥離性の粘着剤が塗布された粘着部を備えており、この粘着部によってフィルム全面を光ディスク２０に密接させて装着可能となり、本光ディスクカバー１を装着した光ディスク２０を各種ディスクプレーヤー（不図示、以下同様）に挿入して支障なく稼動させることができる。
【００３２】
本光ディスクカバー１はその中央部に、光ディスク２０のディスク開口部２１より大きく且つ光ディスク２０のデータ保存領域２２の内径より小さい外径のカバー開口部９を有する。カバー開口部９がディスク開口部２１より大きいことによって、本光ディスクカバー１が装着された光ディスク２０をディスクプレーヤーから取り出す際に、フィルム２の内周端がディスクプレーヤー内部のディスク固定治具に引っ掛かることがなく容易に取り出すことができる。
【００３３】
本光ディスクカバー１が装着された光ディスクを挿入型のディスクプレーヤーから取り出す際に、ディスク端部の外にフィルム２がはみ出していないことによって挿入口を覆う部材に引っ掛かることなくディスクプレーヤーから容易に取り出すことができる。
【００３４】
本光ディスクカバー１の粘着剤３が塗布されている粘着部１１は、フィルム２の外周端より内側であることによって、この粘着部をディスクに押圧して粘着させたときに、フィルム粘着剤３がフィルムの外側にはみ出して、本光ディスクカバー１の取り扱い時に手や周辺機器に付着して汚れることを防止するという効果を発揮する。また、粘着部１１の内側端は対応する光ディスク２０のデータ保存領域２２に重ならない範囲に形成されているので、粘着剤３がデータ保存領域２２に入り込むことによるディスクプレーヤーのデータ読み取り精度の低下を防止できるよう構成されている。
【００３５】
本光ディスクカバー１は内周端１３の一部にスリット１０が形成されている。スリット１０はフィルムの切れ目あるいはわずかな隙間で形成されている。本光ディスクカバー１が装着された光ディスクから本光ディスクカバー１を取り外す際、スリット１０を爪の先に引っ掛けた後指先で摘み引っ張るとか、市販の粘着テープの一部を切り取って一旦をスリット１０に貼付し他端を指で摘んで引っ張ることによって、スリット１０を起点としてフィルム２を引き裂きながら光ディスク２０から容易に剥がすことができる。
【００３６】
本発明９は光ディスクカバー１を市場の物流工程において支障なく取り扱いできるようにするために工夫されたものである。図６に示すように、本発明９は、再剥離性紙４に光粘着剤３を備えたフィルム２からなるディスクカバー１を粘着させ、光ディスクカバー１の外周端にタブ粘着剤６を備えたタブ５の一端を粘着させ他端を光ディスクカバー１の外周端の外に突出させて形成し、粘着剤８を備えた表カバーフィルム７でタブ５及びフィルム２を覆い粘着させて構成される。
【００３７】
このように構成されることによって、本品の取り扱い時に光ディスクカバー１の粘着剤３が周辺の物や手などに接触してべたつくことを防止できる。タブ５がフィルム２の外周端の外側に突出させて備えられたことによって、再剥離性紙４から本光ディスクカバー１を引き剥がす際に、更には本発明（９）の光ディスクカバー１を光ディスク２０に装着した後光ディスク２０から本光ディスクカバー１を引き剥がす際に、タブ５を摘むことによって、引き剥がし操作を容易に行うことができる。また、表カバーフィルム７を設けることによって、光ディスクカバー１にゴミが付着したりまた傷がついたりすることを防止でき、更には本光ディスクカバー１を光ディスク２０に装着する際に、フィルム２自体の柔らかさを補強して光ディスク２０のデ−タ読み取り面全体にフィルム２に皺が生じることなく覆って装着することができる。
【００３８】
本発明（１０）は、図６に記載のとおり、前記フィルム２の前記粘着部１１が形成された面の反対面と前記表カバーフィルム粘着剤８との粘着力は、前記フィルム粘着剤３と前記光ディスク２０のデータ読み取り面との粘着力より小さく、前記フィルム２の前記粘着部が形成された面の反対面と前記タブ粘着剤６との粘着力は、前記光ディスクカバー１と前記光ディスク２０のデータ読み取り面との粘着力より小さく、前記光ディスクカバー２０と前記再剥離性紙４との粘着力は、前記フィルムの前記粘着部が形成された面の反対面と前記タブ粘着剤６との粘着力より小さいことを特徴とする光ディスクカバー１である。
【００３９】
上記の構成を有する本発明（１０）は、粘着部が外部に露出していないので取り扱い時に周辺の物に粘着することなく取り扱い性が良好である。本発明（１０）を光ディスク２０に装着する際、まずタブ５を摘んで引き上げることによって光ディスクカバー１と再剥離性紙４とを剥離させた後、光ディスクカバー１を光ディスク２０に粘着させてから再度タブ５を引き上げると、タブ５及び表カバーフィルム７が光ディスクカバー１から剥がれ、光ディスクカバー１の光ディスク２０への装着が完了する。
【００４０】
本発明（１１）は、図７〜図１０に記載のとおり、本発明１乃至１０に記載の光ディスクカバー１を、光ディスクに装着するための治具であって、その中央部に、光ディスクのディスク開口部２１とほぼ同一直径の柱状突起部３１が形成された、光ディスク２０を安定的に載置可能な載置部３２を備えた台座３４と、前記柱状突起部３１の外径とほぼ同一内径で且つ前記カバー開口部９の直径とほぼ同一外径の筒状部を有する取外し可能なキャップ３３と、を備えた光ディスクカバー装着治具３０である。
【００４１】
本発明（１２）は、発明（１１）の光ディスクカバー装着治具３０を用いて、発明（５）乃至（８）に記載の光ディスクカバー１、あるいは発明（９）又は（１０）から再剥離性紙を剥がした状態の光ディスクカバー１を、フィルム２に皺や波うちが生じないように、光ディスク２０に装着するための、発明（１１）の光ディスクカバー装着治具３０を平板上に置く工程と、筒状キャップ３３を取り外す工程と、光ディスク２０のデータ読み取り面を上にして前記中央のディスク開口部２１を、光ディスクカバー装着治具３０中央の突起部３１に挿入しディスク載置部３２に当接させる工程と、筒状キャップ３３を柱状突起部３１に挿入し光ディスク２０に当接させる工程と、発明（５）乃至（８）に記載の光ディスクカバー１、あるいは発明（９）又は（１０）から再剥離性紙を剥がした状態の光ディスクカバー１を、粘着部１１の形成された面を下方に向けて筒状キャップ３３に挿入し光ディスク２０のデータ面に当接させる工程と、粘着部１１を光ディスク２０の周端部２３に押圧し粘着させる工程と、タブ５を引き上げてフィルム２とタブ５及び表カバーフィルム７を再剥離させる工程と、を含むことを特徴とする光ディスクカバー装着方法である。本方法によって、光ディスクカバー１を光ディスク２０の同心円上に正確に且つフィルムに皺を生じさせることなく装着できる。
【００４２】
本発明１３は、フィルム２の周端部を接着して固定する枠体に光ディスク２０をはめ込むことによって光ディスク２０のデータ読み取り面を保護する光ディスクカバー１であって以下に述べるとおりである
本発明１３は、図１１及至図１８に示すとおり、上面４１及び下面４２を有する環状の外周壁４３と、前記外周壁下部の内側から前記環状の外周壁４３の中心に向かって延在し環状内周端４４が画定された底壁４５と、前記外周壁上部の内側から前記環状の外周壁４３の中心に向かう複数の平板状の突起部４６と、を備えた環状枠体４０の内側全体を覆うように、前記フィルム２が、前記外周壁下面４２及び又は前記底壁４５の下面に接着されていることを特徴とする発明（１）乃至（３）のいずれか１項に記載の光ディスクカバー、である。
本環状枠体４０の材質はポリカーボネート（以下、ＰＣと略記）樹脂であるが、他の樹脂であってもよい。他の樹脂としては、光ディスク２０と同等以上の耐熱性及び寸法安定性と、更には射出成型性も兼ね備えていることが望ましく、ポリアクリル酸エステル、ＡＢＳ、ポリエステル（ＰＥＴ、ＰＢＴ）、ポリアミド、ポリオキシメチレン、ポリフェニレンスルフィド、ポリエーテルスルフォン、などでもよい。
【００４３】
本発明（１４）は、円盤状で、中央に開口部であるディスク開口部（２１）を有し、データ読み取り面が光ディスク２０の片面側に形成され、該データ読み取り面に、外周に沿った一定の巾の外周データ非保存領域２３と内周に沿った一定の巾の内周データ非保存領域２４と、外周データ非保存領域２３と内周データ非保存領域２４との間にデータ保存領域２２を備えた光ディスク２０のデータ読み取り面を保護する光ディスクカバー１であって、フィルム２が、ディスク開口部２１の直径より大きく且つデータ保存領域２２の内径より小さい直径の開口部を画定する内周端１４からなるカバー開口部９を備えたことを特徴とする光ディスクカバー１である。
カバー開口部９が、ディスク開口部２１より大きいことによって、本光ディスクカバー１が装着された光ディスク２０をディスクプレーヤーから取り出す際に、フィルム２の内周端１４がディスクプレーヤー内部の光ディスク固定治具（不図示）に引っ掛かることがなく容易に取り出すことができる。
【００４４】
本発明（１５）は、光ディスクカバー１が光ディスク２０に装着された状態において、底壁４５の環状内周端４４は、光ディスク２０の外周データ非保存領域２０に対応する位置にあるように形成されたことを特徴とする光ディスクカバー１である。本発明（１５）の構成を採ることによって光ディスク２０のデータ保存領域２２を遮蔽することがないので、本光ディスクカバー１を光ディスク２０に装着しディスクプレーヤーにかけた際に、データ読み取り障害が発生することはない。
【００４５】
本発明（１６）は、突起部４６の長さが、０．２ｍｍ以上２ｍｍ以下であることを特徴とする光ディスクカバー１である。本発明（１６）は、光ディスク２０をデタ読み取り面を下方にして図１４の上部から底壁４５と突起部４６の間に挿入し外周壁４３の内面に当接させて装着する。突起部４６が２ｍｍよりも長い場合は光ディスク２０を挿入し難く、また０．２ｍｍより短い場合は本光ディスクカバー１に装着した光ディスク２０が、ディスクプレーヤー内で稼動中に外れる可能性がある。従って装着時の取り扱いやすさ及び装着後の脱離の可能性を考慮すると、突起部４６は、より好ましくは０．３ｍｍ以上１ｍｍ以下である。
【００４６】
本発明（１７）は、外周壁外側上部及び下部が角のないアール状に形成され、夫々上部アール４７及び下部アール４８を有することを特徴とする光ディスクカバー１である。なお、「アール」は「Ｒ」と記載されることもある。このように形成されたことによって、本発明（１７）を、本光ディスクカバー１を装着した光ディスク２０をディスクプレーヤーから取り出す際、ディスクプレーヤーのディスク挿入口の覆いとして形成されている蓋や刷毛等に外周壁の角部が引っ掛かることなく円滑に取り出すことができる。
【００４７】
本発明（１８）は、フィルム２が、外周壁４３の下面４２の下面アール部４７の端部を画定する底壁アール内周端よりも、前記外周壁４３の中心側に接着されていることを特徴とする光ディスクカバー１、である。このように形成されたことによって、本発明（１８）を装着した光ディスク２０をディスクプレーヤーに挿入したり、また挿入後取り出す際に、ディスクプレーヤーのディスク挿入口の覆いとして形成されている蓋や刷毛等（不図示）に、フィルム２の外周端が引っ掛かることなく円滑に、挿入したり取り出したりすることができる。
【実施例】
【００４８】
＜粘着力試験方法＞
・  剥離方法：１８０度剥離、粘着テープ巾：任意、剥離長さ：５０ｍｍ、剥離時間：１分
・  試験機メーカー：ＳＨＩＭＡＤＺＵ、型番：Ａａｕｔｏｇｒａｐｈ、ＡＧ−１  １００ｋＮ
【実施例１】
【００４９】
未延伸ＴＡＣフィルム（フジビジネスサプライ社製、品番ＴＡＣＰＨＡＮ−Ｎ８８２ＧＬ５０ミクロン、フィルム厚み５０μｍ） を外径１１９．８ｍｍの円形に切断し、フィルム中央部に直径２０ｍｍのフィルム内周端を確定するカバー開口部を、フィルム切除により開けた。フィルム内周端の一部にフィルム外周端に向けて長さ５ｍｍのスリット（フィルムの切れ目）を１本入れた。フィルム片面の外周端から０．２ｍｍ内方に、０．６ｍｍの幅で再剥離性粘着剤（光テ゛ィスクに対する粘着強度は２．３Ｎ／２５ｍｍ。）を塗布した。更に、上記フィルムの粘着剤を塗布した面の反対面の一部に、一端に再剥離性粘着剤が塗布されたシート状のタブを、タブの他端がフィルム外周端の外にでるようにして粘着貼付（粘着強度１Ｎ／２５ｍｍ）した。更に上記タブの上から上記フィルムと同じ形状の再剥離性の表カバーフィルム（材質ＰＰ、東セロ（株）製、品番ＯＰＵ−１、厚み５０μｍ）を同心円上状に粘着貼付（粘着強度０．０６Ｎ／２５ｍｍ）した。更に、上記フィルムの粘着剤が塗布された面を再剥離性紙（アネックッス社製、品番Ｋ８Ｐ（０１））に粘着貼付して本発明（９）の光ディスクカバーを作成した。再剥離性紙と上記フィルムとの粘着強度は０．１Ｎ／２５ｍｍであった。
上記本発明（９）の光ディスクカバーの再剥離性紙をタブ５を引き上げることによって外した後、本発明１１の治具を使い、本発明１２の方法に従って、光ディスク（ＴＤＫ製ＤＶＤ、４．３ＧＢ、直径１２ｍｍ、ディスク開口部直径１５ｍｍ、厚み１．２ｍｍ、データ保存領域外径１１８ｍｍ、データ保存領域内径４６）のデータ読み取り面に装着した。これを市販のパノートパソコン（ＮＥＣ製、品番ＬＮ３００／Ｃ、品名ＬＡＶＩＥ）のディスクドライブ（スロットイン型：ディスク挿入口にスポンジ状の覆い部材が装備。）に挿入し、ディスクに保存された動画（映画）の再現性及び該光ディスクカバーを装着された光ディスクの取り扱い性（フィルムに皺がよらないかどうか）を確認した。結果を表１に示す。
【００５０】
フィルムの厚みを３０μｍ、４０μｍでは、上記実施例１と全く同じ結果であった。またフィルム厚み２０μｍ、１０μｍ及び６０μｍでは動画再生は全く同一であり取り扱い性は若干劣るがほぼ同等であった。
【比較例１】
【００５１】
フィルムの厚みを８０μｍに替えた以外は、実施例１と同様に行った。結果を表１に示す。
【比較例２】
【００５２】
フィルムを延伸ＴＡＣフィルムに替えた以外は、実施例１と同様に行った。結果を表１に示す。
【比較例３】
【００５３】
フィルムを市販のＰＣフィルムに替えた以外は、実施例１と同様に行った。結果を表１に示す。
【比較例４】
【００５４】
フィルムを市販のＰＰフィルムに替えた以外は、実施例１と同様に行った。結果を表１に示す。
【比較例５】
【００５５】
フィルムを市販のＰＥフィルムに替えた以外は、実施例１と同様に行った。結果を表１に示す。
【比較例６】
【００５６】
フィルムを市販のＰＥＴフィルムに替えた以外は、実施例１と同様に行った。結果を表１に示す。
【比較例７】
【００５７】
フィルムの直径を光ディスク直径と同じ１２０ｍｍにした以外は、実施例１と同様に行った。結果を表１に示す。
【比較例８】
【００５８】
カバー開口部直系をディスク開口部直径と同じく１５ｍｍに替えた以外は、実施例１と同様に行った。結果を表１に示す。
【比較例９】
【００５９】
粘着部外径をフィルム外径と同じ１１９．８ｍｍに替えた以外は、実施例１と同様にした。結果を表１に示す。
【比較例１０】
【００６０】
カバー内周端部のスリットをなくした以外は、実施例１と同様に行った。結果を表１に示す。
【実施例２】
【００６１】
未延伸ＴＡＣフィルム（フジビジネスサプライ社製、品番ＴＡＣＰＨＡＮ−Ｎ８８２ＧＬ５０ミクロン、フィルム厚み５０μｍ ）を外径１２０．２ｍｍの円形に切断し、フィルム中央部に直径２０ｍｍのフィルム内周端１３を確定するカバー開口部９をフィルムの切除により開けてフィルム２を成型した。一方、射出成型機にてＡＢＳ樹脂（        ）を図２０の寸法の環状枠体４０に成型した。この環状枠体４０の外周壁４３の下面４２及び底壁４５の下面に上記フィルム２を、環状枠体４０と同心円になるように接着して発明（１３）の光ディスクカバー１を製作した。この光ディスクカバー１のフィルム外周端は環状枠体４０の下面アール部４８の端部より環状枠体４０の中心側にあった。光ディスクカバー１を光ディスク２０（ＴＤＫ製ＤＶＤ、４．３ＧＢ、直径１２ｍｍ、ディスク開口部直径１５ｍｍ、厚み１．２ｍｍ、データ保存領域外径１１８ｍｍ、データ保存領域内径４６）のデータ読み取り面に装着した。これを市販のパノートパソコン（ＮＥＣ製、品番ＬＮ３００／Ｃ、品名ＬＡＶＩＥ）のディスクドライブ（スロットイン型：ディスク挿入口にスポンジ状の覆い部材が装備。）に挿入し、ディスクに保存された動画（映画）の再現性及び該光ディスクカバー１を装着された光ディスク２０の取り扱い性を確認した。結果を表１に示す。
【比較例１１】
【００６２】
フィルムの厚みを８０μｍに替えた以外は、実施例３と同様に行った。結果を表１に示す。
【比較例１２】
【００６３】
ディスク開口部２１の直径をカバー開口部９の直径と同じにした以外は、実施例３と同様に行った。結果を表１に１３示す。
【比較例１３】
【００６４】
フィルム２の直径を下面アール部の端部の直径よりも大きくした以外は、実施例３と同様に行った。結果を表１に示す。
【比較例１４】
【００６５】
上面アール部及び下面アール部をなくした以外は、実施例３と同様に行った。結果を表１に示す。
【００６６】
表１より、次のことが明らかである。
（１）実施例１と比較例２より、本発明の未延伸フィルムがよい。
（２）実施例１と比較例３,４,５、及び６より、樹脂材質としては本発明（３）の三酢酸セルロースがよい。
（３）実施例１比較例１より、フィルム厚みは８０μｍでは厚すぎる。本発明３（１０〜６０μｍ）がよい。
（４）実施例１と比較例７より、フィルム直径は本発明４のとおり、ディスク直径より小さい方がよい。
（５）実施例１と比較例８及び実施例３と比較例１２より、カバー開口部９の直径は本発明５のとおり、ディスク開口部の直径より大きい方がよい。
（６）実施例１と比較例９より、粘着部１１の外径は本発明６のとおり、フィルム２の直径より小さい方がよい。
（７）実施例１と比較例１０より、本発明８のとおりカバー内周端部のスリットはあった方がよい。
（８）実施例２と比較例１１より、フィルム厚みは８０μｍでは厚すぎる。本発明３の１０〜６０μｍがよい。
（９）実施例２と比較例１２より、フィルム厚みは８０μｍでは厚すぎる。本発明３の１０〜６０μｍがよい。
（１０）実施例２と比較例１３より、本発明１８のとおり、底壁アール内周端の直径は、フィルム２の外周端部の直径より大きい方がよい。
（１１）実施例２と比較例１１４より、本発明１７のとおり、上面アール部及び下面アール部が形成されているほうがよい。
【００６７】
【表１】
2011060376.tif 000003
【符号の説明】
【００６８】
１    本発明の光ディスクカバー
２    フィルム
３    フィルム粘着剤
４    再剥離性紙
５    タブ
６    タブ粘着剤
７    表カバーフィルム
８    表カバーフィルム粘着剤
９    カバー開口部
１０  スリット
１１  粘着部
１３  フィルム内周端
２０  光ディスク
２１  ディスク開口部
３０  光ディスクカバー装着治具
３１  柱状突起部
３２  ディスク載置部
３３  筒状キャップ
３４  台座
４０  環状枠体
４１  上面
４２  下面
４３  外周壁
４４  環状内周端
４５  底壁
４６  突起部
４７  上面アール部
４８  下面アール部
【図１】
2011060376.tif 000004
【図２】
2011060376.tif 000005
【図３】
2011060376.tif 000006
【図４】
2011060376.tif 000007
【図５】
2011060376.tif 000008
【図６】
2011060376.tif 000009
【図７】
2011060376.tif 000010
【図８ａ】
2011060376.tif 000011
【図８ｂ】
2011060376.tif 000012
【図９】
2011060376.tif 000013
【図１０】
2011060376.tif 000014
【図１１】
2011060376.tif 000015
【図１２】
2011060376.tif 000016
【図１３】
2011060376.tif 000017
【図１４】
2011060376.tif 000018
【図１５】
2011060376.tif 000019
【図１６】
2011060376.tif 000020
【図１７】
2011060376.tif 000021
【図１８】
2011060376.tif 000022